(57)【要約】 【課題】暗渠構造で一部を開口した可変側溝Ａ内に、仮設配管の設置工事並びに撤収工事に際して、樹脂管を採用した仮設管Ｂが傷つくことなく、仮設管の差し込み作業並びに引き抜き作業を行なえるようにする側溝内仮設配管工事用ガイドを提供する。【解決手段】可変側溝の開口部内に挿入され得る大きさの枠部１と、前記枠部１に連結され短手方向外方に突出形成して、枠部を可変側溝の開口部内に吊下げ保持する腕部２と、枠部の長手方向の一方の内端に、長手方向の枠部の上部外方から枠部内下方に至る傾斜板状の上面ガイド部３と、枠部の長手方向の他方の内端に、枠部内上方から長手方向の枠部の下部外方に至る傾斜板状の下面ガイド部４とを備える。【選択図】図１
0003138576.tif 000002
【実用新案登録請求の範囲】
【請求項１】
可変側溝の開口部内に挿入され得る大きさの枠部と、前記枠部に連結され短手方向外方に突出形成して、枠部を可変側溝の開口部内に吊下げ保持する腕部と、枠部の長手方向の一方の内端に、長手方向の枠部の上部外方から枠部内下方に至る傾斜板状の上面ガイド部と、枠部の長手方向の他方の内端に、枠部内上方から長手方向の枠部の下部外方に至る傾斜板状の下面ガイド部とを備えてなることを特徴とする側溝内仮設配管工事用ガイド。
【請求項２】
上面ガイド部の上端側を、中央部分のガイド面角度より水平な角度に形成すると共に、下端側が鉛直な角度に形成し、下面ガイド部の上端側を、中央部分のガイド面角度より鉛直な角度に形成すると共に、下端側が水平な角度に形成してなる請求項１記載の側溝内仮設配管工事用ガイド。
【請求項３】
上面ガイド部を、枠部の長手方向外方で且つ枠部下方を中心としたＲ状湾曲面とし、下面ガイド部を、枠部の長手方向外方で且つ枠部上方を中心としたＲ状湾曲面としてなる請求項２記載の側溝内仮設配管工事用ガイド。
【請求項４】
枠部の側面に短手方向に出没自在とした突出ボルトを螺装してなる請求項１乃至３記載の何れかの側溝内仮設配管工事用ガイド。
【考案の詳細な説明】
【技術分野】
【０００１】
本考案は、仮設配管を側溝内に設置並びに撤収する工事の際に使用するガイドに関するものである。
【背景技術】
【０００２】
ガス管、水道管などの道路埋設配管の修理工事や取り替え工事の際に、修理対象配管でガス供給や水道供給を受けている利用者に対して、当該供給が滞らないように仮設配管を設置する。この仮設配管は通常道路脇に露出或いは埋設によって設置されるが、露出配管の場合には事故が生じやすく、また埋設配管の場合には溝掘削が必要であり煩雑である。そこで先に道路側溝内に仮設配管を設置する工法及び配管支持具を提案した（特許文献１）。
【０００３】
また仮設配管に使用する管部材として、軽量で且つ適宜な撓曲性を備えたポリエチレン管が採用され、前記樹脂製の管部材（ＰＥ管）の両端に、連結溝を備えた金属製の接続金具をインサート連結した仮設管を所定の連結具で連結して仮設管路を形成することも提案されている（特許文献２，３）。
【０００４】
【特許文献１】特開２００１−３５５７６４号公報。
【特許文献２】特開２００４−１００７７４号公報。
【特許文献３】登録実用新案第３１３１１５９号公報。
【考案の開示】
【考案が解決しようとする課題】
【０００５】
ところで道路側溝に仮設配管を構築しようとした場合、特許文献１に開示されているような明渠の側溝であれば何ら支障なく仮設配管路を構築することが出来るが、図５に例示する一部のみが開口（開口部ａ）し、一部が暗渠（上蓋部ｂ）である所謂可変側溝Ａの場合には、開口部ａから仮設管Ｂを差し入れて、側溝内に配管を構築する必要があり、また撤収工事においても開口部から仮設管を引き出す必要がある。
【０００６】
また暗渠状態では、特許文献１記載の支持金具などを使用しての中空配置は困難であるので、雨水などが流れる側溝の内底面に配管を設置状態で構築しなければならない。このため仮設管としては防食機能を備えた前記のＰＥ管を採用することになる。
【０００７】
ＰＥ管を採用した場合には、側溝の開口部ａから側溝Ａ内に押し込むと、上蓋部ｂの開口部側の縁に擦られて、仮設管（ＰＥ管）Ｂの表面が傷つけられてしまう。更に側溝Ａ内に配置した仮設管Ｂを引き出す際にも同様に上蓋部ｂの縁で傷つけられることになる。
【０００８】
特に仮設管は繰り返し使用するものであるから、表面の傷は仮設管Ｂの耐久寿命を短くしてしまう。
【０００９】
そこで本考案は、前記の可変側溝Ａ内に仮設配管を設置する工事並びに撤収する工事の際に、仮設管Ｂが傷つくのを防止した新規なガイドを提案したものである。
【課題を解決するための手段】
【００１０】
本考案に係る側溝内仮設配管工事用ガイドは、可変側溝の開口部内に挿入され得る大きさの枠部と、前記枠部に連結され短手方向外方に突出形成して、枠部を可変側溝の開口部内に吊下げ保持する腕部と、枠部の長手方向の一方の内端に、長手方向の枠部の上部外方から枠部内下方に至る傾斜板状の上面ガイド部と、枠部の長手方向の他方の内端に、枠部内上方から長手方向の枠部の下部外方に至る傾斜板状の下面ガイド部とを備えてなることを特徴とするものである。
【００１１】
前記ガイドの設置は、腕部を側溝の上縁に載置し、枠部を側溝（可変側溝）の開口部内に吊下げるもので、ガイドを設置した状態で仮設管を上面ガイド部に載置した状態、或いは下面ガイド部に添わせた状態、又は双方の状態で、側溝内に押し込んで側溝内に仮設配管を構築するものである。更に側溝内から仮設配管を撤収する際も、仮設管を上下面ガイド部の一方又は双方を当接させて引き抜くものである。
【００１２】
従って側溝の上蓋部の縁は上下ガイド部で覆われることになるので、前記の設置工事並びに撤収工事において、仮設管（ＰＥ管）の表面に傷が付くようなことは生じない。
【００１３】
又本考案（請求項２，３）は、前記の仮設配管の側溝敷設用ガイドにおいて、上面ガイド部の上端側を、中央部分のガイド面角度より水平な角度に形成すると共に、下端側が鉛直な角度に形成し、下面ガイド部の上端側を、中央部分のガイド面角度より鉛直な角度に形成すると共に、下端側が水平な角度に形成し、また特に上面ガイド部を、枠部の長手方向外方で且つ枠部下方を中心としたＲ状湾曲面とし、下面ガイド部を、枠部の長手方向外方で且つ枠部上方を中心としたＲ状湾曲面としてなるものである。
【００１４】
従って仮設管の側溝内への差し込み作業並びに引き抜き作業に際して、ガイドの上下端縁と仮設管が当接することがないので、当該端縁によって仮設管の表面が傷つけられる虞がなくなる。
【００１５】
更に本考案（請求項４）は、前記の各側溝内仮設配管工事用ガイドにおいて、枠部の側面に短手方向に出没自在とした突出ボルトを螺装してなるもので、側溝の開口部内に吊下げられた枠部から突出ボルトを外方に突出させて、側溝内壁を押圧することで、ガイドが側溝に固定され、仮設管の側溝内への差し込み作業並びに引き抜き作業が安定した状態で行なわれる。
【考案の効果】
【００１６】
本考案の構成は上記のとおりで、可変側溝内への仮設配管の設置工事及び撤収工事に際して、本考案のガイドを、一部が暗渠である可変側溝の開口部に配置し、ガイドの上下面ガイド部に仮設管を添わせて側溝内への差し込み作業並びに引き抜き作業を行うもので、前記の作業において樹脂管である仮設管の表面が、開口部に臨む上蓋部の縁によって傷つけられるのを防止でき、且つ側溝内への仮設配管の設置工事並びに撤収工事を効率的に行えるものである。
【考案を実施するための最良の形態】
【００１７】
次に本考案の実施形態について説明する。実施形態に示したガイドは、枠部１、腕部２と、上面ガイド部３と、下面ガイド部４で構成される。
【００１８】
枠部１は、アングル材を溶接などの手段で、可変側溝Ａの開口部ａ内に挿入され得る大きさの矩形に組み合わせて形成したもので、左右側面（短手方向を左右とし、長手方向を前後として説明する）に４箇所にボルト孔１１を穿設すると共に、ナット部１２を溶着し、突出ボルト１３を前記ナット部１２に螺合して、左右外方に出没自在に螺装したものである。
【００１９】
腕部２は、枠部１の４箇所に設けたもので、各々枠部１からの縦杆部２１と、縦杆部２１の頂部と連結して左右外方に突出させた横杆部２２で形成される。縦杆部２１は、横杆部２２を側溝Ａの上縁ｃ上に載置した際に、枠部１が開口部ａ内に配置される高さとし、横杆部２２の長さは、側溝Ａの左右上縁ｃに載置できる長さとしたものである。
【００２０】
上面ガイド部３は、枠部１の前部内端に、枠部１の前部外方の上方位置から枠部１内の下方位置に至る傾斜板状で、特に枠部１の前部外方で且つ枠部１の下方位置を中心としたＲ状湾曲面として、上端側を、中央部分のガイド面角度より水平な角度に形成すると共に、下端側が鉛直な角度になるように形成したものである。
【００２１】
また下面ガイド部４は、枠部１の後部内端に、枠部１の後部外方の下方位置から枠部１内の上方位置に至る傾斜板状で、特に枠部１の後部外方で且つ枠部１の上方位置を中心としたＲ状湾曲面として、上端側を、中央部分のガイド面角度より鉛直な角度に形成すると共に、下端側が水平な角度になるように形成したものである。
【００２２】
而して前記ガイドは、仮設配管工事（設置工事及び撤収工事）において、可変側溝Ａの開口部ａに設置して使用するもので、腕部２の横杆部２２を側溝Ａの上縁ｃの上に載置し、枠部１を開口部ａ内に吊下げる。
【００２３】
次に突出ボルト１３を回転して左右外方に突出させて、側溝Ａの内壁を押圧して、ガイドを側溝Ａに固定する。
【００２４】
そして仮設管Ｂの側溝Ａ内への差し込み作業並びに引き抜き作業を行なうもので、前記の作業において仮設管Ｂを上面ガイド部３に載置した状態、或いは下面ガイド部４に添わせた状態、又は双方の状態でなされることになり、可変側溝Ａ内への仮設配管設置工事並びに撤収工事において、仮設管（ＰＥ管）の表面を傷つけることなく実施できたものである。
【００２５】
尚本考案の上面ガイド部及び下面ガイド部は必ずしも湾曲面に限定されるものではなく、一定の角度の傾斜面とし、上下端部分を所定の方向に折曲したものであっても良い。
【図面の簡単な説明】
【００２６】
【図１】本考案の実施形態の全体斜視図。
【図２】同平面図。
【図３】同側面図。
【図４】同使用状態を示す断面図。
【図５】本考案のガイドの使用対象の側溝体の説明図。
【符号の説明】
【００２７】
１      枠部
１１    ボルト孔
１２    ナット部
１３    突出ボルト
２      腕部
２１    縦杆部
２２    横杆部
３      上面ガイド部
４      下面ガイド部
Ａ      側溝（可変側溝）
ａ      開口部
ｂ      上蓋部
ｃ      上縁
Ｂ      仮設管
【図１】
0003138576.tif 000003
【図２】
0003138576.tif 000004
【図３】
0003138576.tif 000005
【図４】
0003138576.tif 000006
【図５】
0003138576.tif 000007